(57)【要約】【課題】  フラップを備え、天面蓋に開口部が設けられた梱包箱において、前記梱包箱に帯状把手を設けた物品を収納し、天面蓋を閉じると、それに応じて両フラップが帯状把手の大部分を覆い、前記帯状把手が下部に沈んだ状態になるので前記開口部から帯状把手を取り出すことが困難であるのに対して、フラップを備えた梱包箱に帯状把手を設けた物品を収納し、天面蓋を閉じた状態でも開口部からの帯状把手の取り出しが容易な梱包箱を提供することにある。【解決手段】  上面に把手を設けた物品用で、側面部上縁にフラップを備えた梱包箱において、前記フラップの少なくとも一つに切欠部を設け、前記切欠部は、前記フラップの端部のいずれかに設けられていることを特徴とする発明である。【選択図】      図１
2005247333.tif 000002
【特許請求の範囲】
【請求項１】
上面に把手を設けた物品用で、側面部上縁にフラップを備えた梱包箱において、
前記フラップの少なくとも一つに切欠部を設け、前記切欠部は、前記フラップの端部のいずれかに設けられていることを特徴とする梱包箱。
【発明の詳細な説明】
【技術分野】
【０００１】
梱包箱に関する
【背景技術】
【０００２】
蓄電池は製造後、輸送中あるいは保管時に傷が付いたり汚れたりするのを防止するために出荷時に梱包箱に収納されることは周知である。また、鉛蓄電池のように重量の重い物品では、搬送を容易にするように軟質樹脂や布からなる帯状把手が蓄電池に取り付けられていることが多い。その場合、梱包箱に収納された状態でもその把手をもって搬送できるように、梱包箱の天面蓋に開口部を設け、そこから前記把手を引き出し、その把手を持って搬送されることがある。
【０００３】
図２は上記状態を示す要部模式図で、１は梱包箱、２は前記梱包箱１の構成部品の一つである天面蓋、２１は前記天面蓋２に設けられた矩形状の開口部、３は鉛蓄電池に取り付けられた帯状把手、５は鉛蓄電池をそれぞれ示す。この場合、鉛蓄電池５は梱包箱１に収納されており、図示されていない。
【０００４】
図２に示すように、天面蓋２に設けられた開口部２１から帯状把手３を取り出せば、鉛蓄電池５は梱包箱１に収納された状態でも、容易に搬送することができる。
【０００５】
特許文献１には、把手を取り付けたままの蓄電池を梱包箱に収納し、前記梱包箱の天面に切込みを設け、蓄電池を搬送する際には、前記切込みを開口し、把手を取り出して搬送する方式の提案がなされている。
【０００６】
【特許文献１】実開平０７−００７０６６号
【発明の開示】
【発明が解決しようとする課題】
【０００７】
図３は、従来の鉛蓄電池用梱包箱および該梱包箱に把手付き鉛蓄電池を収納し、次いで天面蓋を閉じた状態を示す要部模式図（ａ）、（ｂ）および一部欠栽の要部模式図（ｃ）で、１は梱包箱、２は天面蓋、２１は前記天面蓋に設けられた矩形状の開口部、３は鉛蓄電池に取り付けられた帯状把手、４１および４２は前記梱包箱の両短側面部上縁に備えられたフラップ１およびフラップ２、５は鉛蓄電池をそれぞれ示す。
【０００８】
図３（ａ）は、従来の鉛蓄電池用梱包箱本体を示すもので、梱包箱１の強度を増すために、両短側面部上縁にフラップ４１および４２が備えられている。図３（ｂ）は前記梱包箱１に鉛蓄電池５を収納した状態で、天面蓋２は、まだ閉じられていない。図３（ｃ）は、天面蓋２を閉じた状態を示す。
【０００９】
図３（ｃ）に示すように、天面蓋２を閉じると、それに応じて両フラップ４１および４２が帯状把手３の大部分を覆うので、前記帯状把手３は下部に沈んだ状態になり、天面蓋２に設けられた開口部２１から把手３を取り出すことが困難な問題が生じる。特に、両フラップ４１および４２が梱包箱１の上面全体を覆う構造であれば、帯状把手の取り出しは不可能になる。
【００１０】
したがって、本願発明の目的は、両側面部上縁にフラップ４１および４２を備えた梱包箱に物品を収納し、天面蓋２を閉じた状態でも、前記天面蓋２に設けられた開口部２１から容易に帯状把手３を取り出せる梱包箱１を提供することにある。
【００１１】
「背景技術」に記載されている特許文献１の梱包箱の場合も、両短側面部上縁にフラップを備えた構造では、天面蓋に設けられた切込み部分を開口しても前記フラップが帯状把手を塞いでしまっているので前記帯状把手が取り出し難いという同じ問題が生じる。
【課題を解決するための手段】
【００１２】
上記課題を解決するための手段として、請求項１による発明は、上面に把手を設けた物品用で、側面部上縁にフラップを備えた梱包箱において、前記フラップの少なくとも一つに切欠部を設け、前記切欠部は、前記フラップの端部のいずれかに設けられていることを特徴とするものである。
【００１３】
ここでのフラップの端部とは、フラップが梱包箱の側面部上縁と接続している辺を除く他の３辺をいう。
【発明の効果】
【００１４】
以上、説明したように、梱包箱に備えられた、少なくとも一つのフラップのいずれかの端部に切欠部を設け、帯状把手が取り付けられている物品を収納した際に、前記帯状把手を前記切欠部に挿入すれば、フラップを梱包箱内に収め、天面蓋を閉じても、帯状把手の一部が下部に沈まずフラップの上面に存在するので梱包箱の天面蓋に設けられた開口部から容易に帯状把手を取り出すことが可能で、物品を梱包箱に収納した状態で、容易に帯状把手を持って搬送することができ、その工業的効果が極めて大である。
【発明を実施するための最良の形態】
【００１５】
本発明を実施するための最良の形態は、上面に把手を設けた物品用で、側面部上縁にフラップを備えた梱包箱において、前記フラップの少なくとも一つに切欠部を設け、前記切欠部は、前記フラップの端部のいずれかに設けられている構造にすることである。
【００１６】
梱包箱に備えられているフラップは通常、一対であるが、切欠部をその片方にのみに設けても本願発明の効果は得られる。しかし、一対のフラップの両方に、切欠部を設ける方がより効果的である。
【００１７】
実施例の項で後述するように、フラップが梱包箱の側面部上縁と接続している辺に平行なフラップの端部にはＬ形（鍵形）の切欠部が好ましく、前記辺に対して直角に交わっているフラップの両端部には矩形の切欠部が好ましい。
【００１８】
切欠部を設ける位置、寸法および形状は、帯状把手の長さ、幅および柔軟性を考慮して適宜決めることができる設計的事項である。
【実施例】
【００１９】
実施例に基づき、本願発明を詳細に説明する。
（実施例１）
図１は、本発明による実施例１を示す要部模式図（ａ）、（ｂ）および一部欠栽の模式図（ｃ）で、１は梱包箱、２は天面蓋、２１は前記天面蓋２に設けられた開口部、３は蓄電池に設けられた帯状把手、４１、４２は梱包箱１の両短側面部上縁に備えられたフラップ１およびフラップ２、５は鉛蓄電池、６はフラップ４１および４２に形成された切欠部で、実施例１では、フラップ４１および４２の、梱包箱の側面部上縁と接続している辺に平行な端部にＬ形（鍵形）の切欠部６が形成されている。
【００２０】
図１（ａ）は、本発明に基づく実施例１の梱包箱１本体を示している。図１（ｂ）は、前記梱包箱１に鉛蓄電池５を収納すると共に、帯状把手３をフラップ４１および４２に形成されたＬ形（鍵形）切欠部６に挿入した状態を示す。図１（ｃ）は、天面蓋２を閉めた状態を示し、帯状把手３の大部分がフラップ４１および４２の上面に存在し、天面蓋２近くに位置するので開口部２１から前記帯状把手３を容易に取り出せることができる。
（実施例２）
図４は、本発明に基づく実施例２を示す要部模式図で、（ａ）は梱包箱本体を示し、（ｂ）は前記梱包箱に鉛蓄電池を収納した状態を示す。構成部材は図１と同じ番号を付記する。
図４に示すように、フラップ４１および４２の、梱包箱の側面部上縁と接続している辺に直角に交わっている端部で、天面蓋２が固定されている側に矩形の切欠部６がそれぞれ形成された方式で、本実施例も実施例１と同様の効果が得られるのは容易に理解できる。
（実施例３）
図５は、本発明に基づく実施例３を示す要部模式図で、（ａ）は梱包箱本体を示し、（ｂ）は前記梱包箱に鉛蓄電池を収納した状態を示す。構成部材は図１と同じ番号を付記する。
図５に示すように、フラップ４１および４２が梱包箱の側面部上縁と接続している辺に直角に交わっている端部で、実施例２とは反対側に矩形の切欠部６がそれぞれ形成された方式である。本実施例も実施例１と同様の効果が得られるのはいうまでもない。
（実施例４）
図６は、本発明に基づく実施例４を示す要部模式図で、（ａ）は梱包箱本体を示し、（ｂ）は前記梱包箱に鉛蓄電池を収納した状態を示す。構成部材は図１と同じ番号を付記する。
図６に示すように、本実施例は、実施例２と実施例３とを混合した方式で、フラップ４１の端部に形成された矩形の切欠部６に対して、フラップ４２の切欠部６は反対側の端部に形成されている。前記両切欠部６に帯状把手３を挿入した場合、開口部２１からの帯状把手３の位置ずれがなく、帯状把手３を取り出し易い利点を有している。
【００２１】
以上、実施例においては、鉛蓄電池用梱包箱について説明してきたが、鉛蓄電池用梱包箱に限定されるものでなく、天面蓋に開口部が設けられた梱包箱に帯状把手を設けた物品を収納する方式であれば、収納する物品の種類にかかわらず本願発明が有効であることはいうまでもない。
【図面の簡単な説明】
【００２２】
【図１】本願発明に基づく実施例１を示す要部模式図（ａ）、（ｂ）および一部欠栽の模式図（ｃ）。
【図２】従来の梱包箱に鉛蓄電池を収納し、開口部から帯状把手を取り出した状態を示す要部模式図。
【図３】従来の梱包箱に鉛蓄電池収納した一例示す要部模式図（ａ）、（ｂ）および一部欠栽の模式図（ｃ）。
【図４】実施例２を示す要部模式図（ａ）、（ｂ）。
【図５】実施例３を示す要部模式図（ａ）、（ｂ）。
【図６】実施例４を示す要部模式図（ａ）、（ｂ）。
【符号の説明】
【００２３】
１  梱包箱
２  天面蓋
２１  開口部
３  帯状把手
４１  フラップ１
４２  フラップ２
５  鉛蓄電池
６  切欠部
【図１】
2005247333.tif 000003
【図２】
2005247333.tif 000004
【図３】
2005247333.tif 000005
【図４】
2005247333.tif 000006
【図５】
2005247333.tif 000007
【図６】
2005247333.tif 000008